(57)【要約】【課題】  安価、小型、軽量とすることが可能なクロージャを提供する。【解決手段】  光ファイバ２の側部に支持線３が並設された支持線付き光ファイバが対向する両側から導入されるクロージャスリーブ１１の内部に、前記支持線付き光ファイバの前記光ファイバ２同士を接続するための光ファイバ接続部４０と、前記支持線付き光ファイバの前記光ファイバ２を引き留めるための光ファイバ引留め部２０を対向する両側に具備する連結台３０と、前記クロージャスリーブ１１内に対向する両側から引き込まれた前記支持線３を固定する支持線固定部６０とが収容され、前記クロージャスリーブ１１の両端に、前記光ファイバ２および前記支持線３が挿通される挿通穴５１を有するエンドキャップ５０が装着されているクロージャ１０を用いる。【選択図】  図１
2005091777.tif 000002
【特許請求の範囲】
【請求項１】
光ファイバ（２）の側部に支持線（３）が並設された支持線付き光ファイバ（１）が対向する両側から導入されるクロージャスリーブ（１１）の内部に、前記支持線付き光ファイバの前記光ファイバ同士を接続するための光ファイバ接続部（４０）と、前記支持線付き光ファイバの前記光ファイバを引き留めるための光ファイバ引留め部（２０）を対向する両側に具備する連結台（３０）と、前記クロージャスリーブ内に対向する両側から引き込まれた前記支持線を固定する支持線固定部（６０，７０）とが収容され、
前記クロージャスリーブの両端に、前記光ファイバおよび前記支持線が挿通される挿通穴（５１）を有するエンドキャップ（５０）が装着されていることを特徴とするクロージャ（１０）。
【請求項２】
前記光ファイバ接続部は、両端から挿入された前記光ファイバを内部で突き合わせた接続状態に維持してクランプ保持するようになっていることを特徴とする請求項１に記載のクロージャ。
【請求項３】
前記支持線固定部（６０）は、固定板（６１）および前記固定板から突出する舌状部（６２）を有し、前記舌状部を前記固定板に対して折り曲げることにより、前記舌状部と前記固定板との間に前記支持線を圧着固定するようになっていることを特徴とする請求項１または２に記載のクロージャ。
【請求項４】
前記エンドキャップは、二つ割り構造となった一対のキャップ半体（５０ａ）が一方の側縁部でヒンジ（５２）で結合され、さらに前記ヒンジと反対側の側縁部に係合部（５３）が設けられて構成されたものであり、前記光ファイバおよび前記支持線の外周に装着されたパッキンを前記一対のキャップ半体で挟み込んで前記係合部によって係合させることにより、該エンドキャップの前記挿通穴が封止されるようになっていることを特徴とする請求項１ないし３のいずれかに記載のクロージャ。
【発明の詳細な説明】
【技術分野】
【０００１】
本発明は、光ファイバの側部に支持線が並設された支持線付き光ファイバを接続するのに用いられるクロージャに関する。
【背景技術】
【０００２】
従来、光回線を、電柱間に架設された光ファイバケーブルから建物まで配線するため、ドロップケーブルなどの支持線付き光ファイバが用いられている。支持線付き光ファイバは、光ファイバの側部に支持線が並設されたものである。支持線付き光ファイバ同士を接続するため、クロージャなど、種々の製品が提案されている（例えば特許文献１参照）。
【特許文献１】特開平１０−３００９４８号公報
【発明の開示】
【発明が解決しようとする課題】
【０００３】
従来、この種の製品は、複数の光ファイバケーブル同士を接続し、かつ光ファイバを直径６０ｍｍ以上のループ状に巻き回して光ファイバの接続余長差を吸収するため、大型の接続トレイを用いた構成となっている。このため、外形が非常に大きく、かつ重いため、設置場所が限られ、かつ価格が高いという欠点がある。
【０００４】
本発明は、上記事情に鑑みてなされたものであり、安価、小型、軽量とすることが可能なクロージャを提供することを課題とする。
【課題を解決するための手段】
【０００５】
前記課題を解決するため、本発明は、光ファイバの側部に支持線が並設された支持線付き光ファイバが対向する両側から導入されるクロージャスリーブの内部に、前記支持線付き光ファイバの前記光ファイバ同士を接続するための光ファイバ接続部と、前記支持線付き光ファイバの前記光ファイバを引き留めるための光ファイバ引留め部を対向する両側に具備する連結台と、前記クロージャスリーブ内に対向する両側から引き込まれた前記支持線を固定する支持線固定部とが収容され、前記クロージャスリーブの両端に、前記光ファイバおよび前記支持線が挿通される挿通穴を有するエンドキャップが装着されていることを特徴とするクロージャを提供する。
本発明のクロージャにおいては、前記光ファイバ接続部は、両端から挿入された前記光ファイバを内部で突き合わせた接続状態に維持してクランプ保持するようになっている構成も採用可能である。
また、前記支持線固定部は、固定板および前記固定板から突出する舌状部を有し、前記舌状部を前記固定板に対して折り曲げることにより、前記舌状部と前記固定板との間に前記支持線を圧着固定するようになっている構成も採用可能である。
また、前記エンドキャップは、二つ割り構造となった一対のキャップ半体が一方の側縁部でヒンジで結合され、さらに前記ヒンジと反対側の側縁部に係合部が設けられて構成されたものであり、前記光ファイバおよび前記支持線の外周に装着されたパッキンを前記一対のキャップ半体で挟み込んで前記係合部によって係合させることにより、該エンドキャップの前記挿通穴が封止されるようになっている構成も採用可能である。
【発明の効果】
【０００６】
本発明によれば、安価、小型、軽量とすることが可能なクロージャを提供することができる。このクロージャを用いることにより、作業性を向上し、現場での施工工数を短縮できる。また、作業者のスキルによる性能や信頼性のバラツキを抑制することができる。
【発明を実施するための最良の形態】
【０００７】
以下、本発明を実施するための最良の形態について、図面を参照して説明する。
図１は、本発明のクロージャの一形態例を示す（ａ）正面図および（ｂ）下面図である。図２は、図１のクロージャの端面図である。図３は、図１のクロージャの横断面図である。図４は、図１のクロージャの連結台に保持された光ファイバ接続部の一例を示す断面図である。図５は、図１のクロージャの外観を示す正面図である。図６は、図１のクロージャの支持線固定部を示す（ａ）平面図、（ｂ）正面図、（ｃ）下面図である。図７は、図６の支持線固定部の端面図である。
【０００８】
図１等に示すクロージャ１０が適用される支持線付き光ファイバ１は、合成樹脂などの被覆が設けられた光ファイバ２の側部に、支持線３が並設されたものである。支持線付き光ファイバ１としては、ドロップケーブル等の光ファイバケーブルが挙げられる。
図５に示すように、支持線付き光ファイバ１は、クロージャ１０に導入される手前から光ファイバ２と支持線３とに分離されている。光ファイバ２と支持線３との分離部では、補強のため、テープ巻きなどを施すことができる。クロージャ１０の末端部付近では、支持線３に対して光ファイバ２（ケーブル部２ａ）にたるみを持たせて設置するとよい。
【０００９】
光ファイバ２は、ここでは、裸光ファイバ（図示略）の外周に樹脂被覆が設けられてなる光ファイバ心線２ｂが、外装被覆によって被覆されてなる光ファイバケーブル（ケーブル部）２ａが用いられている。なお、本発明において、光ファイバ２としては、特に限定されることなく、各種の単心または多心の光ファイバを採用することができる。
支持線３は、鋼線３ｂの外側に樹脂被覆３ａが設けられたものである。
【００１０】
クロージャ１０は、支持線付き光ファイバ１が対向する両側から導入されるクロージャスリーブ１１の内部に、前記支持線付き光ファイバ１の光ファイバ２同士を接続するための光ファイバ接続部４０と、前記支持線付き光ファイバ１の前記光ファイバ２を引き留めるための光ファイバ引留め部２０を対向する両側に具備する連結台３０と、前記クロージャスリーブ１１内に対向する両側から引き込まれた前記支持線３を固定する支持線固定部６０とが収容され、前記クロージャスリーブ１１の両端部１２，１２に、エンドキャップ５０が装着された構成を有している。
【００１１】
クロージャスリーブ１１は、合成樹脂（例えば耐候性ＰＰ）などからなる筒状の中空な部材であり、両端が開口している。
エンドキャップ５０は、光ファイバ２および支持線３が挿通される挿通穴５１を有する。エンドキャップ５０は、合成樹脂などから構成することができる。挿通穴５１は、エンドキャップ５０がクロージャスリーブ１１の端部１２に装着される装着部５４とは逆側の末端部５５に開口している。ここでは、挿通穴５１は、光ファイバ２が挿通される光ファイバ挿通穴５１ａと、支持線３が挿通される支持線挿通穴５１ｂとが区分けされている。しかし本発明において、挿通穴５１の構成は特に限定されるものではなく、ひとつの挿通穴に光ファイバ２と支持線３の両方を挿通する構成でもよい。
エンドキャップ５０は、装着部５４から末端部５５に向けて紡錘状（テーパ状）にすぼまっており、金車などの通過やドラム巻きなどに支障がなく、光ファイバの敷設作業性に優れる。
【００１２】
図２に示すように、本形態例では、エンドキャップ５０は、二つ割り構造となった一対のキャップ半体５０ａ，５０ａが、一方の側縁部でヒンジ５２で結合され、さらに前記ヒンジ５２と反対側の側縁部に係合部５３が設けられて構成されたものでいる。係合部５３が設けられた側の側縁部は、エンドキャップ５０の装着部５４と末端部５５との間にわたる切断線５６に沿って切断されたような形状となっている。エンドキャップ５０は、切断線５６によって開閉することができる。
【００１３】
図１に示すように、エンドキャップ５０の内面には、キャップ半体５０ａごとに略半円板状の隔壁５７および端面板５８が、クロージャ１０の長手方向（図１の左右方向）に間隔をおいて突設されている。隔壁５７と端面板５８との間には、光ファイバ２および支持線３の外周に装着されたパッキン１３が収納される空間が確保されている。
また、エンドキャップ５０の装着部５４の内面とクロージャスリーブ１１の端部１２の外面との間には、帯状または円筒状のパッキン１４が装着されている。
これらパッキン１３，１４は、低硬度ゴムなどからなるものを採用できる。
【００１４】
パッキン１３の形状は、Ｃ字型や半円形などが採用される。パッキン１３がＣ字型の場合、光ファイバ２および支持線３の外周に合わせた穴と、パッキン１３の周縁から穴まで延びる切れ目とを有し、切れ目から光ファイバ２および支持線３を差し入れることにより、パッキン１３を光ファイバ２および支持線３の外周に装着することができる。また、パッキン１３が半円形の場合、一対のパッキン１３を、半円の弦に沿う合わせ面において向かい合わせ、間に光ファイバ２および支持線３を挟み込むことにより、パッキン１３を光ファイバ２および支持線３の外周に装着することができる。
【００１５】
隔壁５７と端面板５８との間のパッキン収納空間にはリブ５９が突設されている。パッキン１３の周縁部に形成されたフランジ部をリブ５９と隔壁５７または端面板５８との間に入れることにより、クロージャ１０の長手方向へのパッキン１３の位置ずれが抑制される。
本クロージャ１０では、パッキン１３を前記一対のキャップ半体５０ａ，５０ａで挟み込み、キャップ半体５０ａ，５０ａ同士を係合部５３によって係合させることにより、パッキン１３が締め付けられ、キャップ半体５０ａ，５０ａの内面や光ファイバ２および支持線３の外面に密着し、エンドキャップ５０の挿通穴５１が封止され、屋外設置に十分な防水性が得られるようになっている。テープ巻きが不要であり、作業性に優れる。
【００１６】
図１に示すように、光ファイバ接続部４０は、両端から挿入された前記光ファイバを内部で突き合わせた接続状態に維持してクランプ保持するようになっている。以下、光ファイバ接続部４０をクランプ部４０ということがある。
クランプ部４０は、二つ割り構造の素子４１，４２ａ，４２ｂと、これら素子４１，４２ａ，４２ｂの外側に装着され、これら素子４１，４２ａ，４２ｂを挟み込むようにしてクランプするコ字状のバネ部材４３とを備えている。ここでは、上記素子４１，４２ａ，４２ｂは、細長形状の基体４１と、この基体４１に対向して前後（基体４１の長手方向）に並べて配置される３個の蓋体４２ｂ，４２ａ，４２ｂとからなる。より詳しくは、蓋体４２ａ，４２ｂ，４２ｂは、基体４１との間に、光ファイバ（裸光ファイバ）をクランプ保持する中央蓋４２ａと、この中央蓋４２ａの両側に配置されて基体４１との間に光ファイバ（光ファイバ心線）をクランプ保持する２個の端部蓋４２ｂとに区別される。基体４１と蓋体４２ａ，４２ｂとは、バネ部材４３のクランプ力によって、角柱状に一体化されている。
【００１７】
図４に示すように、基体４１と中央蓋４２ａとが重ね合わされる合わせ面には、調心機構４４として、両光ファイバを位置決めして調心する位置決め溝（調心溝）４４が、基体４１の長手方向に延びるように設けられている。ここでは位置決め溝４４は、基体４１の合わせ面に形成されているが、これに限定されず、位置決め溝４４が蓋体４２ａ側の合わせ面に形成された構成や、基体及び蓋体の両方に形成された構成も採用可能である。位置決め溝４４の断面形状は、例えばＶ溝であるが、Ｕ溝、丸溝（断面半円形の溝）などであってもよい。位置決め溝４４は、接続される光ファイバの対ごとに（心数分）設けられる。
【００１８】
基体４１と端部蓋４２ｂとが重ね合わされる合わせ面には、光ファイバ２の心線部２ｂをクランプ保持する被覆収納溝（図示略）が設けられている。被覆収納溝は、位置決め溝４４の両端と連通し、クランプ部４０の両端に開口している。被覆収納溝は、クランプ部４０内に挿入された心線部２ｂの先端部を収納し、かつ、素子４１，４２ｂがバネ部材４３でクランプされたときに、光ファイバ２の心線部２ｂをしっかりとクランプ固定できる形状になっている。
【００１９】
図１，図４に示すように、基体４１および蓋体４２ａ，４２ｂが重ね合わされる合わせ面の一側縁部には、開放部材（楔）４の先端部４ａが挿入される楔挿入溝４５ａ，４５ｂが形成されている。ここでは、楔挿入溝４５ａ，４５ｂは、基体４１と中央蓋４２ａとの合わせ面に２箇所（符号４５ａ）、基体４１と端部蓋４２ｂとの合わせ面に各１箇所（符号４５ｂ）、設けられている。しかし、楔挿入溝の配置は、上記配置に特に限定されるものではない。
クランプ部４０は、楔挿入溝４５ａ，４５ｂに楔４の先端部４ａを圧入することにより、バネ部材４３のクランプ力に抗して基体４１と蓋体４２ａ，４２ｂとを押し開くことができるようになっている。そして、楔挿入溝４５ａ，４５ｂから楔４を抜くと、基体４１と蓋体４２ａ，４２ｂとの間を閉じて、再びバネ部材４３のクランプ力によって一体化された状態とすることができる。
【００２０】
図１に示すように、クランプ部４０は、連結台３０の長手方向の中央部に設けられたクランプ部保持部３５に保持されている。クランプ部保持部３５は、クランプ部４０の両端部に係合してこれを把持する２対の係合アーム３６と、クランプ部４０の両端の位置が連結台３０の長手方向にずれないように規制する押さえ板３７とを備えており、これら係合アーム３６及び押さえ板３７は、連結台３０上に突設されている。押さえ板３７には、光ファイバ２が挿通できるような切欠状の凹部（図１（ｂ）参照）が形成されている。
係合アーム３６は、弾性変形して連結台３０の幅方向（図１（ｂ）の上下方向）の外方に反ることにより、その間にクランプ部４０を受け入れて、クランプ部４０を把持するようになっている。クランプ部４０を連結台３０から取り外すには、係合アーム３６を開いてクランプ部４０との係合を解除すればよい。
【００２１】
図１，図１０に示すように、光ファイバ引留め部２０は、光ファイバ２のケーブル部２ａを把持するためのコ字状の光ファイバ固定溝２１を有する。以下、光ファイバ引留め部２０を、把持部材２０ということがある。
把持部材２０の光ファイバ固定溝２１の内面には鬼目状の押さえ突起が並設されている。光ファイバ固定溝２１に光ファイバ２のケーブル部２ａを押し込んで嵌め込むことにより、該ケーブル部２ａ外周に食い込んで固定するようになっている。
【００２２】
把持部材２０は、連結台３０の両端に設けられた把持部材保持部３１に保持されている。それぞれの把持部材保持部３１には、把持部材２０を連結台３０に対してスライド移動可能に保持する案内レール３２，３２が設けられている。図１０に示すように、把持部材２０は、案内レール３２，３２に沿って、クランプ部４０に近づく方向および遠ざかる方向にスライド移動できる。
把持部材２０に把持された光ファイバ２の先端をクランプ部４０に挿入して突き合わせ、把持部材２０を把持部材保持部３１に保持した状態で把持部材２０をクランプ部４０に向けて移動すれば、光ファイバ２が湾曲してたわみ（図１０参照）が生じる。クランプ部４０による両光ファイバ２の接続時に、クランプ部４０と光ファイバ引留め部２０との間で光ファイバ２が湾曲変形した状態に保持すれば、光ファイバ２の弾性による押圧力が両光ファイバ２の端面間に作用し、両端面が密着して、確実な光接続状態を得ることができる。
【００２３】
図６，図７に示すように、支持線固定部６０は、固定板６１および前記固定板６１から突出する舌状部６２を有する。固定板６１の中央には、連結台３０から突設された嵌合突起３９と嵌合する嵌合穴６４が穿設されている。支持線固定部６０は、連結台３０の係合突起３９を固定板６１の嵌合穴６４との嵌合により、連結台３０と着脱可能に連結することができる。支持線固定部６０は、連結台３０から取り外すこともできる。
支持線固定部６０は、例えば、導電性のよい金属から構成することができる。支持線固定部６０を導電性材料から構成した場合、両支持線付き光ファイバ１の支持線３同士を導通させることができ、支持線３を介してアースが可能になる。従って落雷時の影響を受けにくい。
【００２４】
また、固定板６１には、支持線３の先端部の樹脂被服を除去した鋼線３ｂが挿通される透孔６３が設けられている。ここでは、透孔６３は、嵌合穴６４の両側に対向して２個形成されており、クロージャスリーブ１１の各端から導入された支持線付き光ファイバ１の支持線３が、それぞれ別の透孔６３に挿通できるようになっている。
図１０に示すように、支持線固定部６０は、支持線３（詳しくは、鋼線３ｂ）を透孔６３に挿通して折り返し、固定板６１に沿わせた状態で、舌状部６２を固定板６１に対して折り曲げることにより、舌状部６２と固定板６１との間に支持線３を圧着固定するようになっている。
【００２５】
このように構成された本形態例のクロージャ１０によれば、クランプ部４０とその両側に設けられた光ファイバ引留め部２０，２０により、接続される両光ファイバ２を保持することができる。このため、光ファイバ２の接続に必要な余長を短くすることができる。また、光ファイバ２に許容限界を超える曲げ変形が加わることも抑制できる。
光ファイバ２を引き留めるための光ファイバ引留め部２０が連結台３０の両側に設けられているので、光ファイバ２に掛かる張力を連結台３０によって支えることができ、クランプ部４０における両光ファイバ２の光接続が切れてしまう等の不都合が抑制される。
本発明によれば、従来のクロージャのような接続トレイがないので、安価、小型、軽量とすることが可能なクロージャを得ることができる。
このクロージャを用いることにより、作業性を向上し、現場での施工工数を短縮できる。また、作業者のスキルによる性能や信頼性のバラツキを抑制することができる。
【００２６】
支持線固定部への支持線の固定は、ペンチ等の一般工具による簡易カシメで済むため、容易、迅速、確実に、必要充分な固定強度を得ることができる。また、作業者の熟練度による支持線の固定強度のバラツキが生じない。
支持線固定部と光ファイバ接続部とが別部品となっているため、支持線固定部が光ファイバ接続の作業の妨げとなりにくい。
支持線固定部と光ファイバ接続部との嵌合がワンタッチで容易、迅速、確実に、必要充分な固定強度を得ることができる。また、作業者の熟練度による両者の固定強度のバラツキが生じない。
エンドキャップをワンタッチで固定するだけで、防水処理が可能であり、容易、迅速、確実に、必要な防水性能を得ることができる。作業者の熟練度による、防水性能の差が生じない。
支持線固定部を導電性材料から構成した場合、両支持線付き光ファイバの支持線同士を導通させることができ、支持線を介してアースが可能になる。従って落雷時の影響を受けにくい。
支持線に対して光ファイバケーブル部にたるみを持たせることにより、支持線に張力がかかり延びた場合でも、光ファイバ接続点への損傷を受けにくい。
光ファイバ接続部をクランプ部（メカニカルスプライス）にすることにより、融着接続と共用の製品と比較して、小型化（短寸）、軽量等の利点がある。
【００２７】
本発明のクロージャの使用方法の他の例としては、２本の支持線を接続するのではなく、電柱際などで、１本の支持線のみで本体を固定する（スルーさせる）ことも可能である。この場合、支持線の固定等の手順を踏まず、そのまま支持線固定部と光ファイバ接続部にはさんでペンチなどでかしめて固定することができる。これにより、容易、迅速、確実に、必要充分な固定強度を得ることができる。また、作業者の熟練度による支持線の固定強度のバラツキが生じない。
【００２８】
次に、本発明のクロージャの第２形態例を説明する。
図８は、本発明のクロージャの第２形態例を示す（ａ）正面図および（ｂ）下面図である。図８において、図１〜図７に用いた符号と同じ符号は、同一または同様の構成であることを示し、重複する説明を省略する。
図８に示すクロージャ１０では、エンドキャップ５０が二つ割り構造になっておらず、エンドキャップ５０の装着部をクロージャスリーブ１１の両端部１２に装着した上からテープ（粘着テープ）１５を巻き付けることにより、エンドキャップ５０をクロージャスリーブ１１に固定している。ここではエンドキャップ５０の挿通穴５１は各１個であり、一つの挿通穴５１に光ファイバ２と支持線３とが挿通されている。テープ１５は、クロージャスリーブ１１の側面から、光ファイバ２および支持線３の側面に達する範囲に巻き付けられている。挿通穴５１はテープ１５巻きにより防水されている。
エンドキャップ５０は、クロージャスリーブ１１の端部１２に装着される装着部の側から、挿通穴５１が設けられる末端部に向けて紡錘状（テーパ状）にすぼまっている。これによる、金車などの通過やドラム巻きなどに支障がなく、光ファイバの敷設作業性に優れる。
【００２９】
次に、本発明のクロージャに適用可能な支持線固定部の改変例を説明する。
図９は、支持線固定部の改変例を示す（ａ）平面図および（ｂ）断面図である。
この支持線固定部７０は、固定板７１の側縁部に複数の切欠部７２が穿設された構成となっている。この支持線固定部７０を用いて支持線３を固定するには、図９（ｂ）に示すように、切欠部７２に支持線３（詳しくは、鋼線３ｂ）を挿通する方向を交互に交替して、固定板７１の裏表に編み込む方法が採用される。なお、図９には、支持線３を１本固定した状態を図示したが、同様に２本固定することも可能である。
支持線固定部７０は、例えば、金属等の導電性材料から構成することができる。支持線固定部７０が導電性材料からなる場合、両支持線付き光ファイバの支持線同士を導通させることができ、支持線を介してアースが可能になる。従って落雷時の影響を受けにくい。
このような支持線固定部７０によれば、工具を用いることなく、容易に支持線３を固定することができる。
【００３０】
以上、本発明を最良の形態に基づいて説明してきたが、本発明は上述の最良の形態に限定されるものではなく、本発明の要旨を逸脱しない範囲で種々の改変が可能である。
光ファイバ接続部の構成は、クランプ部によるクランプ保持に限定されることなく、種々の方法が採用可能である。接続方法としては、例えば、融着接続、光コネクタ接続などが挙げられる。光コネクタとしては、ＪＩＳ  Ｃ  ５９７３等に規定のＳＣ形光コネクタ（ＳＣ：Single fiber Coupling）、ＪＩＳ  Ｃ  ５９８１等に規定のＭＴ形光コネクタ（ＭＴ：Mechanically Transferable）、ＭＴ−ＲＪ形光コネクタ等が例示される。
【産業上の利用可能性】
【００３１】
本発明のクロージャは、例えば、光ファイバの接続箇所を架空で設置するのに使用できる。また、例えば、断線した光ファイバケーブルの支障移転や応急処置などに効果を発揮し、安価、小型、軽量の接続部材（クロージャ）により、支持線付き光ファイバ（光ファイバケーブルなど）の断線箇所を個別にかつ早期に復旧することが可能である。
また、短くなった光ファイバケーブルを複数つないで長尺化する延線の用途にも有用である。これにより、例えば、１０ｍ程度に短くなった光ファイバを廃棄することなく、有効に活用することが可能となる。
本発明のクロージャは小型、軽量であるので、本クロージャが介在された支持線付き光ファイバのドラム巻きや金車通過なども自在に行うことができる。従って布設作業性に優れる。
【図面の簡単な説明】
【００３２】
【図１】本発明のクロージャの一形態例を示す（ａ）正面図および（ｂ）下面図である。
【図２】図１のクロージャの端面図である。
【図３】図１のクロージャの横断面図である。
【図４】図１のクロージャの連結台に保持された光ファイバ接続部の一例を示す断面図である。
【図５】図１のクロージャの外観を示す正面図である。
【図６】図１のクロージャの支持線固定部を示す（ａ）平面図、（ｂ）正面図、（ｃ）下面図である。
【図７】図６の支持線固定部の端面図である。
【図８】本発明のクロージャの第２形態例を示す（ａ）正面図および（ｂ）下面図である。
【図９】支持線固定部の改変例を示す（ａ）平面図および（ｂ）断面図である。
【図１０】光ファイバ引留め部の動作を説明する図である。
【符号の説明】
【００３３】
１…支持線付き光ファイバ、２…光ファイバ、３…支持線、１０…クロージャ、１１…クロージャスリーブ、２０…光ファイバ引留め部（把持部材）、３０…連結台、４０…光ファイバ接続部（クランプ部）、５０…エンドキャップ、５０ａ…キャップ半体、５１…挿通穴、５２…ヒンジ、５３…係合部、６０，７０…支持線固定部、６１…固定板、６２…舌状部。
【図１】
2005091777.tif 000003
【図２】
2005091777.tif 000004
【図３】
2005091777.tif 000005
【図４】
2005091777.tif 000006
【図５】
2005091777.tif 000007
【図６】
2005091777.tif 000008
【図７】
2005091777.tif 000009
【図８】
2005091777.tif 000010
【図９】
2005091777.tif 000011
【図１０】
2005091777.tif 000012